(57)【要約】【課題】蛍光管の取り付けが容易であり、蛍光管には長手方向の負荷がかからず、端子にも蛍光管を保持するための力が働くことはない蛍光管ソケットを提供する。【解決手段】電気機器のシャーシ３２に装着されるハウジング４０と、ハウジング４０に形成され蛍光管３６の口金３７を嵌合させて保持する蛍光管保持部４２を備える。蛍光管保持部４２と一体にハウジング４０に設けられた端子接続部４４を有する。蛍光管保持部４２により蛍光管３６を保持し、端子接続部４４で蛍光管３６の端子３８が給電用のクリップ端子４６と電気的に接触して成る。ハウジング４０の底面には、蛍光管３６の端子３８が突出した略長円状の端子突出部３７ａがちょうど嵌合する、略長円状の凹部である長円部４２ｂを備える。【選択図】図１
2008311195.tif 000002
【特許請求の範囲】
【請求項１】
電気機器に取り付けられる蛍光管のソケットにおいて、前記電気機器のシャーシに装着されるハウジングと、このハウジングに形成され前記蛍光管の口金を嵌合させて保持する蛍光管保持部と、前記蛍光管保持部と一体に前記ハウジングに設けられた端子接続部とを備え、前記蛍光管保持部により前記蛍光管を保持し、前記端子接続部で前記蛍光管の端子が給電用のクリップ端子と電気的に接触して成ることを特徴とする蛍光管ソケット。
【請求項２】
前記ハウジングの底面には、前記蛍光管の端子が突出した略長円状の端子突出部がちょうど嵌合する略長円状の凹部を備えた請求項１記載の蛍光管ソケット。
【請求項３】
前記端子接続部は、筒状に形成された端子挿通筒が設けられ、前記クリップ端子は前記端子挿通筒に嵌合可能な筒状に設けられ、前記クリップ端子が前記端子挿通筒に挿入され、前記クリップ端子に前記蛍光管の端子が挿入されて接続する請求項１記載の蛍光管ソケット。
【発明の詳細な説明】
【技術分野】
【０００１】
この発明は、液晶表示装置等に使用される蛍光管の端子が着脱自在に装着される蛍光管ソケットに関する。
【背景技術】
【０００２】
従来、図５、図６に示すように、蛍光灯２の端子４が接続されるソケット６は、蛍光灯２の端子４の端部が接触する板バネ状の接触バネ８が内部に設けられ、接触バネ８の基端部にリード線１０がハンダ付けされている。接触バネ８は、２段の階段状に屈曲した形状に形成され、背面側に一体的に同形状のバネ板１２が張り合わされた２層構造に形成されている。ソケット６は、接触バネ８を収容したハウジング１４と、ハウジング１４の開口部に突没自在に設けられた可動キャップ１６を備え、ハウジング１４の背面には、カバー１８が取り付けられている。可動キャップ１６は、可働キャップ１６に設けられたガイド突起２０に嵌合したコイルバネ２２により、突出方向に付勢されている。
【０００３】
ソケット６は、照明装置のシャーシ２４等に固定され、一対のソケット６間に蛍光灯２が装着される。蛍光灯２の装着方法は、まず一方のソケット６の可動キャップ１６の端子孔１６ａに蛍光灯２の端子４を挿入し、接触バネ８の弾性に抗して押し込む。さらに可動キャップ１６をコイルバネ２２に抗して押し、他方の端子４が可動キャップ１６の端子孔１６ａに対面可能にする。この状態で、他方の端子４を可動キャップ１６の端子孔１６ａに挿入し、接触バネ８の弾性に抗して端子１４を中に差し込む。さらに、先に蛍光灯２を押し込んでいた力を徐々に弱めて離すと、蛍光灯２が各ソケット６の可動キャップ１６及び接触バネ８により圧縮状態で付勢されて保持される。
【０００４】
その他、液晶表示装置等のバックライト取り付け用のソケットとして、特許文献１に開示されているように、蛍光灯の端子部にソケットを被せるように嵌合させるソケットも提案されている。
【特許文献１】特開２０００−１４９６４８号公報
【発明の開示】
【発明が解決しようとする課題】
【０００５】
しかし、上記従来の蛍光灯２のソケットの場合、蛍光灯２を両端のソケット６により挟んで保持しているだけであるため、蛍光灯２には接触バネ８及び可動キャップ１６から圧縮方向の力がかかり、好ましくはなかった。さらに、蛍光灯２にかかる重力に対する保持は、両端の端子４のみにより行っており、端子４には自重による剪断力がかかると言う問題があった。
【０００６】
また、シャーシ２４に固定されたソケット６は、蛍光灯２を挟んで押圧するように保持するため、シャーシ２４やソケット６には高い強度と位置の正確性が要求される。従って、ソケット６の取り付けは、ネジによる固定が一般的であり、取り付け工数がかかるものであった。
【０００７】
この発明は、上記背景技術に鑑みて成されたもので、蛍光管の取り付けが容易であり、蛍光管には長手方向の負荷がかからず、端子にも蛍光管を保持するための力が働くことはない蛍光管ソケットを提供することを目的とする。
【課題を解決するための手段】
【０００８】
この発明は、電気機器に取り付けられる蛍光管のソケットであって、前記電気機器のシャーシに装着されるハウジングと、このハウジングに形成され前記蛍光管の口金を嵌合させて保持する蛍光管保持部と、前記蛍光管保持部と一体に前記ハウジングに設けられた端子接続部とを備え、前記蛍光管保持部により前記蛍光管を保持し、前記端子接続部で前記蛍光管の端子が給電用のクリップ端子と電気的に接触して成る蛍光管ソケットである。
【０００９】
前記ハウジングの底面には、前記蛍光管の端子が突出した略長円状の端子突出部がちょうど嵌合する略長円状の凹部を備えたものである。
【００１０】
前記端子接続部は、筒状に形成された端子挿通筒が設けられ、前記クリップ端子は前記端子挿通筒に嵌合可能な筒状に設けられ、前記クリップ端子が前記端子挿通筒に挿入され、前記クリップ端子に前記蛍光管の端子が挿入されて接続するものである。
【発明の効果】
【００１１】
この発明の蛍光管ソケットによれば、液晶表示装置等に取り付けられた蛍光管の端子や蛍光管自体に長手方向の力がかかることがなく、取付作業も容易なものである。
【００１２】
また、長手方向と直交する方向の力に対して、筒状のハウジングで蛍光管端部を保持しているので、端子に大きな負荷がかかることがなく、シャーシにも高い強度が要求されない。さらに、ソケットにより蛍光管を保持することにより電気的接続も完了するため、ソケットの取り付け位置の位置精度は要求されず、確実な接続が容易に得られる。また、蛍光管ソケットは、位置が固定されるものではないため、組み立て自由度が大きく、ネジ等により固定しなくても良いので、制約が少なく、組み立ても容易なものである。
【発明を実施するための最良の形態】
【００１３】
以下、この発明の蛍光管ソケットの一実施形態について、図１〜図４を基にして説明する。この実施形態の蛍光管ソケット３０は、液晶表示装置等の電気機器のシャーシ３２に取り付けられるもので、蛍光管ソケット３０は、シャーシ３２の取付孔３４に固定されずに、単に挿入されて取り付けられる。蛍光管ソケット３０は、樹脂により一体成型され、蛍光管３６を保持するハウジング４０を備え、このハウジング４０は、蛍光管３６の口金３７の外径よりも僅かに大きい内径の円筒状の蛍光管保持部４２と、蛍光管３６の端子３８が挿入される端子接続部４４が一体に形成されている。
【００１４】
蛍光管保持部４２は、蛍光管３６の口金３７が嵌合する大径部４２ａと、大径部４２ａの底部から一体に形成された略長円状の浅い凹部である長円部４２ｂから成る。長円部４２ｂは、口金３７の外形の一部を互いに平行な面で一部切除した形状である略長円状に形成され、口金３７から突出し互いに平行な平面部を有して端子３８が突出した端子突出部３７ａがちょうど嵌合する略長円状の凹部に形成されている。
【００１５】
端子接続部４４は、蛍光管保持部４２の底部の長円部４２ｂから一体に成型されて突出したもので、中空の略半円筒状に形成され、蛍光管保持部４２の中央部から２本の端子挿通筒４４ａが一体に形成されている。端子挿通筒４４ａは、各々略五角柱状に形成され、各々五角柱状に折り曲げられた筒状のクリップ端子４６が挿通されている。さらに、端子挿通筒４４ａには、クリップ端子４６のストッパ片４６ａが係合する凹部である係合部４４ｂが形成され、クリップ端子４６が挿入方向に抜けないように保持する。
【００１６】
クリップ端子４６は、一体に圧着部４６ｂが延出し、端子挿通孔４４ａから直角に折り曲げられて延出する。そして、圧着部４６ｂには、外部の電源に接続されたリード線４８が接続されている。
【００１７】
端子接続部４４には、端子挿通筒４４ａや圧着部４６ａを覆うように樹脂製のカバー５０が嵌合される。カバー５０は、半円筒状に形成され、圧着部４６ａの背面側と端子接続部４４の四方の側面のうちの三方を覆い、リード線４８が挿通される部分の側面が開口している。カバー５０は、端子接続部４４に設けられた図示しない爪に側面の凹部を嵌合させて固定される。
【００１８】
次に、この実施形態の蛍光管ソケット３０の使用方法について説明する。まず、ハウジング４０の一対の端子挿通筒４４ａ内に、リード線４８を接続したクリップ端子４６を挿入する。クリップ端子４６は、ストッパ片４６ａが端子挿通筒４４ａ内の係合部４４ｂに係合して保持される。そして、端子接続部４４の後端部側方から、リード線４８を延出させ、カバー５０を端子接続部４４に被せて蛍光管ソケット３０の組み立てが完成する。
【００１９】
蛍光管３６を電気機器に取り付ける際には、まず蛍光管３６の両端の端子３８に蛍光管ソケット３０を各々嵌合し、この状態で電気機器のシャーシ３２に取り付ける。この時、シャーシ３２に固定しなくても良く、シャーシ３２の取付孔３４に、上方または側方から嵌合させるだけでよい。
【００２０】
この実施形態の蛍光管ソケット３０によれば、蛍光管３６の保持のために液晶表示装置等の電気機器に取り付けられた蛍光管３６の端子３８や蛍光管自体に長手方向の力がかかることがない。また、重量方向の力に対しても、筒状のハウジング４０により蛍光管３６の口金３７を保持しているので、従来のソケットのように端子３８に大きな負荷がかかることがない。また、従来のようにバネで蛍光管を保持しているものではなく、位置決め精度も要求されず、シャーシにも高い強度が要求されるものではない。また、この蛍光管ソケット３０は、ネジ止め等により位置が固定されるものではないため、組み立て自由度が大きく、スペース的な制約もなく、組み立て作業も容易に行うことができる。
【００２１】
その他、蛍光管３６の使用による熱膨張や収縮に対しても、蛍光管ソケット３０がシャーシ３２に固定されているものではないので、影響はないものである。さらに、部品点数が少なく、コストも安価なものとなる。
【００２２】
なお、この発明の蛍光管ソケットは、上記実施形態に限定されるものではなく、ハウジングや蛍光管保持部、端子接続部の形状は適宜設定可能なものであり、蛍光管の端部を安定に保持して、電気的接続が確実に行われるものであればよい。
【図面の簡単な説明】
【００２３】
【図１】この発明の一実施形態の蛍光管ソケットの蛍光管取付状態を示す縦断面図である。
【図２】この実施形態の蛍光管ソケットの正面図である。
【図３】図２のＡ−Ａ断面図である。
【図４】この実施形態の蛍光管ソケットを示す斜視図である。
【図５】従来の蛍光灯のソケットの縦断面図である。
【図６】従来の蛍光灯のソケットの取り付け状態の縦断面図である。
【符号の説明】
【００２４】
３０  蛍光管ソケット
３２  シャーシ
３６  蛍光管
３７  口金
３７ａ  端子突出部
３８  端子
４０  ハウジング
４２  蛍光管保持部
４２ａ  大径部
４２ｂ  長円部
４４  端子接続部
４４ａ  端子挿通筒
４６  クリップ端子
【図１】
2008311195.tif 000003
【図２】
2008311195.tif 000004
【図３】
2008311195.tif 000005
【図４】
2008311195.tif 000006
【図５】
2008311195.tif 000007
【図６】
2008311195.tif 000008